(57)【要約】【課題】半導体素子からの放熱効果を向上させて、信頼性を上げた電子回路装置を提供すること。【解決手段】電子回路装置２０は、半導体素子２のプリント基板１１側にアルミ材から成り櫛歯状の放熱フィン１６を有する放熱部材１５をねじ６にて固着し、半導体素子２と放熱部材１５の間に放熱シート１７を設け、放熱シート１７を半導体素子２、放熱部材１５、および、半導体素子２のリード部３に密着させる構成とすることにより、アルミ材の放熱部材１５とともに、半導体素子２の本体、リード部３からも放熱することにより、放熱効果を向上させ、部品の信頼性を向上させることができる。【選択図】図２
2017098392.tif 000002
【特許請求の範囲】
【請求項１】
収納ケースに収納されたプリント基板上に半導体素子などの電子部品を配設した電子回路装置とを備え、前記電子回路装置は、半導体素子の反プリント基板側にアルミ材から成り櫛歯状の放熱フィンを有する放熱部材をねじにて固着し、前記半導体素子と前記放熱部材の間に放熱シートを設け、前記放熱シートを前記半導体素子、前記放熱部材、および、前記半導体素子のリード部に密着させた電子回路装置。
【請求項２】
半導体素子の反プリント基板側にアルミ材から成り櫛歯状の放熱フィンと複数の溝部を有する放熱部材をねじにて固着し、前記半導体素子と前記放熱部材の間に電気絶縁性を有し熱伝導率の高いシリコン材を設け、前記シリコン材を前記放熱部材の溝部、前記半導体素子、および、前記半導体素子のリード部に密着させた請求項１に記載の電子回路装置。
【発明の詳細な説明】
【技術分野】
【０００１】
本発明は、洗い、すすぎ、脱水行程を自動制御して行なう洗濯機等に使用される電子回路装置に関するものである。
【背景技術】
【０００２】
従来、この種の洗濯機を始めとする電子回路装置にて自動制御する機器においては、運転中に電子回路から発生する熱を放熱させる構成が提案されている（例えば、特許文献１参照）。
【０００３】
図４は、特許文献１に記載された従来の電子回路にて自動制御する機器の電子回路装置の要部拡大断面図である。
【０００４】
図４において、各種電子部品が実装されたプリント基板１とプリント基板１に実装された半導体素子２のリード部３の先端部が、はんだ４により固定されている。
【０００５】
半導体素子２の本体表面には放熱のための金属部（図示せず）が露出しており、この金属部に、半導体素子２から発生する熱を放熱するための放熱部材５が、ねじ６により固定されている。放熱部材５は、アルミなどの金属であり、安価で熱伝導率の良く、加工しやすい金属が使われている。
【０００６】
さらに、絶縁性を有する放熱シート７をプリント基板１のはんだ面側に配設し、収納ケース８とで挟み込むことで、半導体素子２のリード部３から放熱シート７を通して収納ケース８やプリント基板１に熱を拡散させて、放熱効果を上げている。
【先行技術文献】
【特許文献】
【０００７】
【特許文献１】特開２００４−１１９５３３号公報
【発明の概要】
【発明が解決しようとする課題】
【０００８】
しかしながら、前記従来の構成では、半導体素子の温度が高くなる場合、放熱部材を大きくしたり、送風ファンを取り付けたりしなければならず、プリント基板や収納ケースを大きくしなければならないという課題があった。
【０００９】
また、リード部の先端から放熱させるのは、半導体素子の本体内部の熱源（半導体の接合部）から離れているので、放熱効率が悪いという課題があった。
【００１０】
本発明は、前記従来の課題を解決するもので、アルミ材の放熱部材、半導体素子の本体、リード部、プリント基板などに、電気的絶縁性を有する放熱シートや熱伝導率の高いシリコン材などの放熱材を密着させて、アルミ材の放熱部材とともに、半導体素子の本体、リード部からも放熱することにより、放熱効果を向上させ、部品の信頼性を向上させた電子回路装置を提供することを目的としている。
【課題を解決するための手段】
【００１１】
前記従来の課題を解決するために、本発明の電子回路装置は、収納ケースに収納されたプリント基板上に半導体素子などの電子部品を配設した電子回路装置とを備え、前記半導体素子の反プリント基板側にアルミ材から成り櫛歯状の放熱フィンを有する放熱部材をね
じにて固着し、前記半導体素子と前記放熱部材の間に放熱シートを設け、前記放熱シートを前記半導体素子、前記放熱部材、および、前記半導体素子のリード部に密着させ構成としたものである。
【００１２】
これによって、アルミ材の放熱部材とともに、半導体素子の本体、リード部からも放熱することにより、放熱効果を向上させ、部品の信頼性を向上させることができる。
【発明の効果】
【００１３】
アルミ板などの放熱部材、半導体素子の本体、リード部、プリント基板等に、電気的絶縁性を有する放熱シートや熱伝導率の高いシリコンなどの放熱部材を密着させて、半導体素子の本体、リード部からも放熱することにより、放熱効果を向上させ、部品の信頼性を向上させることができる。
【図面の簡単な説明】
【００１４】
【図１】本発明の第１の実施の形態の電子回路装置を搭載した洗濯機の縦断面図
【図２】本発明の第一の実施の形態における電子回路装置の要部拡大断面図
【図３】本発明の第２の実施の形態における電子回路装置の要部拡大断面図
【図４】従来の電子回路にて自動制御する機器の電子回路装置の要部拡大断面図
【発明を実施するための形態】
【００１５】
第１の発明は、収納ケースに収納されたプリント基板上に半導体素子などの電子部品を配設した電子回路装置とを備え、前記半導体素子の反プリント基板側にアルミ材から成り櫛歯状の放熱フィンを有する放熱部材をねじにて固着し、前記半導体素子と前記放熱部材の間に放熱シートを設け、前記放熱シートを前記半導体素子、前記放熱部材、および、前記半導体素子のリード部に密着させた電子回路装置である。この構成を有することにより、アルミ材の放熱部材とともに、半導体素子の本体、リード部からも放熱することにより、放熱効果を向上させ、部品の信頼性を向上させることができる。
【００１６】
第２の発明は、第１の発明の電子回路装置を、半導体素子の反プリント基板側にアルミ材から成り櫛歯状の放熱フィンと複数の溝部を有する放熱部材をねじにて固着し、前記半導体素子と前記放熱部材の間に電気絶縁性を有し熱伝導率の高いシリコン材を設け、前記シリコン材を前記放熱部材の溝部、前記半導体素子、および、前記半導体素子のリード部に密着させる構成としたものである。この構成により、アルミ材の放熱部材とともに、半導体素子の本体、リード部からも放熱することにより、放熱効果を向上させ、部品の信頼性を向上させることができる。
【００１７】
以下、本発明の実施の形態について、図面を参照しながら説明する。なお、従来例と同じ構成のものは、同一符号を付して説明を省略する。また、この実施の形態によって本発明が限定されるものではない。
【００１８】
（実施の形態１）
以下、本発明の第１の実施の形態における電子回路装置を搭載した洗濯機について図面を参照しながら説明する。なお、この実施の形態によって本発明が限定されるものではない。
【００１９】
図１は、本発明の実施の形態における電子回路装置を搭載した洗濯機の縦断面図である。
【００２０】
図１において、筺体２１は，内部に複数のサスペンション２２によって外槽２３を懸垂防振支持している。洗濯・脱水軸２４は中空で２軸構造としている。洗濯兼脱水槽３２は
側壁に多数の脱水孔（図示せず）を有するとともに、内周の上部に振動低減用の流体バランサ２６を有し、中央底部には衣類攪拌用のパルセータ２７が配設されている。
【００２１】
筺体２１の上部には、上部枠体３０を設け、上部枠体３０の前部には、各種の入力設定を行ない、設定内容や進行状況などを表示する操作表示部３１を配設している。そして、操作表示部３１の内方には、モータ２９等を制御し、洗い，すすぎ，脱水の一連の行程を逐次制御する制御手段（図示せず）を有する電子回路装置２０が収設されている。
【００２２】
伝達機構部２８は、内部に洗濯時の減速ギア（図示せず）を内蔵している。電子回路装置２０によりインバータ駆動させるモータ２９は外槽２３の外底部に取り付けられ，伝達機構部２８を介し，パルセータ２７，及び洗濯兼脱水槽３２を回転させる。
【００２３】
図２は、本発明の第１の実施の形態における電子回路装置の要部拡大断面図である。
【００２４】
図２において、収納ケース１８に収納されたプリント基板１１とプリント基板１１に実装された半導体素子２のリード部３の先端部がはんだ４により固定されている。
【００２５】
そして、放熱シート１７が半導体素子２と放熱部材１５の間にねじ６により圧力を加えて固定されている。つまり、半導体素子２の上部が放熱シート１７にめり込んだ形となっている。
【００２６】
また、放熱部材１５はアルミ材などの金属であり、安価で熱伝導率の良く、加工しやすい金属が使われており、半導体素子２の反対側には櫛歯状の放熱フィンが１６が形成され、放熱効果を上げるようになっている。
【００２７】
この構成により、半導体素子２の熱を、放熱シート１７を介して放熱部材１５に効率よく伝達でき、放熱フィン１６から放熱するので、放熱効果を向上させることができる。また、放熱シート１７は固形物ではあるが、容易に変形するので、密着性が上がり、放熱効果の向上につながる。また、容易に取り付けられるので、作業性も向上することができる。
【００２８】
以上のように、本実施の形態１においては、電子回路装置２０は、半導体素子２のプリント基板１１側にアルミ材から成り櫛歯状の放熱フィン１６を有する放熱部材１５をねじ６にて固着し、半導体素子２と放熱部材１５の間に放熱シート１７を設け、放熱シート１７を半導体素子２、放熱部材１５、および、半導体素子２のリード部３に密着させる構成とすることにより、アルミ材の放熱部材１５とともに、半導体素子２の本体、リード部３からも放熱することにより、放熱効果を向上させ、部品の信頼性を向上させることができる。
【００２９】
（実施の形態２）
図３は、本発明の第２の実施の形態における電子回路装置の要部拡大断面図である。第１の実施の形態と同じ構成、部位については、同一符号を付して説明を省略する。
【００３０】
図３において、半導体素子２と放熱部材２５との間には、電気絶縁性を有し、熱伝導率の高いシリコン材９が流し込まれている。そして、放熱部材２５には複数の溝部１０が形成されており、この溝部１０にシリコン材９が入り込んでいる。また、シリコン材９は、半導体素子２のリード部３の大部分を覆っている。
【００３１】
なお、シリコン材９の注入方法は、半導体素子２と放熱部材２５をねじ６で固定したものを上下反転させて、半導体素子２のリード部３の根元に流し込む。シリコン材９は熱硬
化性のものであり、固まる時間が早いので作業性が向上する、シリコン材９が固まった後、プリント基板１１に実装すれば良い。あるいは、放熱部材２５を取り付けた半導体素子２をプリント基板１１に実装した後、プリント基板１１を垂直に傾けて半導体素子２のリード部３の根元にシリコン材９を流し込んでも良い。
【００３２】
この構成により、半導体素子２の熱を、シリコン材９を介して放熱部材２５に効率よく伝達でき、放熱フィン１６から放熱するので、放熱効果を向上させることができる。また、半導体素子２と半導体素子２のリード部３の大部分がシリコン材９に覆われているので、より半導体素子２の熱が放熱部材２５に伝達されやすくなっている。
【００３３】
以上のように、本実施の形態２においては、電子回路装置２０は、半導体素子２のプリント基板１１側にアルミ材から成り櫛歯状の放熱フィン１６と複数の溝部１０を有する放熱部材２５をねじ６にて固着し、半導体素子２と放熱部材２５の間に電気絶縁性を有し熱伝導率の高いシリコン材９を設け、シリコン材９を放熱部材２５の溝部１０、半導体素子２、および、半導体素子２のリード部３に密着させる構成とすることにより、アルミ材の放熱部材２５とともに、半導体素子２の本体、リード部３からも放熱することにより、放熱効果を向上させ、部品の信頼性を向上させることができる。
【産業上の利用可能性】
【００３４】
以上のように、本発明にかかる洗濯機は、電子回路装置に配設された半導体素子の熱を効率よく放熱することにより、部品の信頼性を向上させることができるので、電子回路装置を備えた他の洗濯機を始めとする電気機器の用途に適用できる。
【符号の説明】
【００３５】
２  半導体素子
３  リード部
６  ねじ
９  シリコン材
１０  溝部
１１  プリント基板
１５  放熱部材
１６  放熱フィン
１７  放熱シート
１８  収納ケース
２０  電子回路装置
２１  筺体
２３  外槽
２５  放熱部材
２７  パルセータ
２９  モータ
３０  上部枠体
３１  操作表示部
３２  洗濯兼脱水槽
【図１】
2017098392.tif 000003
【図２】
2017098392.tif 000004
【図３】
2017098392.tif 000005
【図４】
2017098392.tif 000006